(57)【要約】【課題】居室機での操作によりオートドアが開いている時間を延長できる集合住宅用インターホン装置を提供することを目的とする。【解決手段】集合玄関に設置された集合玄関機と、各居室に設置された居室親機と、集合玄関機と居室親機を制御する制御機と、居室親機の操作によって開扉することができるオートドアを備えた集合住宅インターホンシステムにおいて、居室親機には、オートドアを開扉させるための開扉操作部を備え、集合玄関機または制御機には、オートドアの開扉時間を計時するタイマと、タイマが計時中に、開扉操作部を再操作することにより、タイマをリスタートさせてオートドアの開扉を維持する制御をおこなうＣＰＵを備えたことを特徴とする。【選択図】図１
2010200185.tif 000002
【特許請求の範囲】
【請求項１】
集合玄関に設置された集合玄関機と、各居室に設置された居室親機と、前記集合玄関機と前記居室親機を制御する制御機と、前記居室親機の操作によって開扉することができるオートドアを備えた集合住宅インターホンシステムにおいて、
前記居室親機には、前記オートドアを開扉させるための開扉操作部を備え、
前記集合玄関機または前記制御機には、前記オートドアの開扉時間を計時するタイマと、前記タイマが計時中に、前記開扉操作部を再操作することにより、前記タイマをリスタートさせて前記オートドアの開扉を維持する制御をおこなうＣＰＵを備えたことを特徴とする集合住宅インターホンシステム。
【請求項２】
前記集合玄関機には、前記居室親機を呼び出したときに撮像を開始するカメラを備え、
前記ＣＰＵは、前記開扉操作部が再操作されたことを検出し前記オートドアを開扉させている間、前記カメラの駆動を継続させるように制御をおこなうことを特徴とする請求項１記載の集合住宅インターホンシステム。
【請求項３】
前記集合玄関又は前記制御機には、集合住宅のエントランスを撮像するエントランスカメラが接続され、
前記エントランスカメラは、少なくとも前記開扉操作部が最初に操作されたときに駆動されるものであって、
前記ＣＰＵは、前記開扉操作部が再操作されたことを検出し前記オートドアを開扉させている間、前記エントランスカメラの駆動を継続させるように制御をおこなうことを特徴とする請求項１記載の集合住宅インターホンシステム。
【請求項４】
前記集合玄関機には、前記居室親機を呼び出したときに撮像を開始するカメラを備え、
前記集合玄関又は前記制御機には、集合住宅のエントランスを撮像するエントランスカメラが接続され、
前記ＣＰＵは、前記開扉操作部を操作したとき、前記カメラから前記居室親機への映像路を遮断し、前記エントランスカメラから前記居室親機への映像路を接続するよう映像路切替部を制御し、前記開扉操作部を再操作したときは、エントランスカメラから居室親機への映像路の接続維持する制御をおこなうことを特徴とする請求項１記載の集合住宅インターホンシステム。
【発明の詳細な説明】
【技術分野】
【０００１】
本発明は集合住宅インターホンシステムに係り、特に、居室親機からの操作によってエントランスのオートドアの開扉状態を延長することができる集合住宅インターホンシステムに関する。
【背景技術】
【０００２】
従来、居室親機からの開扉操作によって、エントランスのオートドアを開扉することができる集合住宅用インターホンシステムが知られている。例えば、特許文献１のように、居室親機からの開扉操作によってオートドアを開扉し、所定時間経過したらオートドアが閉扉される内容が記載されている。
【先行技術文献】
【特許文献】
【０００３】
【特許文献１】特開２００８−１８７６４８号公報
【発明の開示】
【発明が解決しようとする課題】
【０００４】
しかしながら、従来例の集合住宅インターホンシステムは、防犯上のセキュリティを考慮してオートドアの開扉時間を短く設定されている。そのため、多くの荷物を持った訪問者や、老人、子供などはオートドアが開いている間に中に入れない場合があった。
【０００５】
本発明の目的は、この難点を解決するためになされたもので、居室親機の操作によりオートドアが開いている時間を延長できる集合住宅用インターホン装置を提供することを目的とする。
【課題を解決するための手段】
【０００６】
上記課題を解決するために、請求項１に記載の発明は、集合玄関に設置された集合玄関機と、各居室に設置された居室親機と、集合玄関機と居室親機を制御する制御機と、居室親機の操作によって開扉することができるオートドアを備えた集合住宅インターホンシステムにおいて、居室親機には、オートドアを開扉させるための開扉操作部を備え、集合玄関機または制御機には、オートドアの開扉時間を計時するタイマと、タイマが計時中に、開扉操作部を再操作することにより、タイマをリスタートさせてオートドアの開扉を維持する制御をおこなうＣＰＵを備えたことを特徴とする。
【０００７】
請求項２に記載の発明は、請求項１の発明において、集合玄関機には、居室親機を呼び出したときに撮像を開始するカメラを備え、ＣＰＵは、開扉操作部が再操作されたことを検出しオートドアを開扉させている間、カメラの駆動を継続させるように制御をおこなうことを特徴とする。
【０００８】
請求項３に記載の発明は、請求項１の発明において、集合玄関又は制御機には、集合住宅のエントランスを撮像するエントランスカメラが接続され、エントランスカメラは、少なくとも開扉操作部が最初に操作されたときに駆動されるものであって、ＣＰＵは、開扉操作部が再操作されたことを検出しオートドアを開扉させている間、エントランスカメラの駆動を継続させるように制御をおこなうことを特徴とする。
【０００９】
請求項４に記載の発明は、請求項１の発明において、集合玄関機には、居室親機を呼び出したときに撮像を開始するカメラを備え、集合玄関又は制御機には、集合住宅のエントランスを撮像するエントランスカメラが接続され、ＣＰＵは、開扉操作部を操作したとき、カメラから居室親機への映像路を遮断し、エントランスカメラから居室親機への映像路を接続するよう映像路切替部を制御し、開扉操作部を再操作したときは、エントランスカメラから居室親機への映像路の接続維持する制御をおこなうことを特徴とする。
【発明の効果】
【００１０】
請求項１の発明によれば、オートドアが開扉中に再度、居室機の開扉ボタン押下することでオートドアが開いている時間を延長することができる。
請求項２の発明によれば、オートドアが開扉中に再度、居室機の開扉ボタン押下することでオートドアが開いている時間を延長することができるとともに集合玄関機のカメラも動作しているので、訪問者の様子を確認することができる。
請求項３の発明によれば、オートドアが開扉中に再度、居室機の開扉ボタン押下することでオートドアが開いている時間を延長することができるとともにエントランスも動作しているので、訪問者の様子を確認することができる。
請求項４の発明によれば、居室機での操作によりオートドアを開扉している間、エントランスカメラの映像に切り替えることができるので集合玄関およびオートドア全域を撮像可能なエントランスカメラからの映像を確認することができる。
【図面の簡単な説明】
【００１１】
【図１】本発明にかかる集合住宅インターホンシステムの実施例を示すシステム構成図である。
【発明を実施するための形態】
【００１２】
以下、本発明による集合住宅インターホンシステムを適用した好ましい形態の実施例について、図を参照して説明する。図１は本発明のシステム構成図であり、来訪者が居住者を呼ぶための集合玄関機１と、来訪者と通話するための居室親機２、２、・・・と、集合玄関機１と居室親機２、２、・・・を制御するための制御機３と、来訪者の入居するためのオートドア４と、集合玄関１およびオートドア４全域を撮像するためのエントランスカメラ５で構成されている。
【００１３】
集合玄関機１は、居室親機を呼び出したときに撮像を開始するカメラ１０１、集合玄関機１の各部を制御する集合玄関機ＣＰＵ１０２を備え、居室親機２、２、・・・は集合玄関１のカメラ１０１またはエントランスカメラ５にて撮像された映像を表示するモニタ２０１、オートドア４を開扉操作するための開扉ボタン２０２、居室親機２、２、・・・の各部を制御する居室親機ＣＰＵ２０３を備えている。
また、制御機３は、制御機３の各部を制御する制御機ＣＰＵ３０１、オートドア４の開扉時間を計時するタイマ３０２、集合玄関機１のカメラ１０１とエントランスカメラ５の映像を切り替える映像切替部３０３を備えている。
【００１４】
このような集合住宅インターホンシステムにおいて動作説明を行う。
来訪者が居住者を呼び出すために集合玄関機１を操作すると、呼出信号が制御機３を介して居室親機２に送信され、これを検出した居室親機ＣＰＵ２０３の制御により呼出音の報知がなされる。また、これと同時に集合玄関機ＣＰＵ１０２の制御によりカメラ１０１が駆動して映像信号が同様に送信されることにより居室親機２のモニタ２０１にて映像を出画する（詳述せず）。
【００１５】
居室親機ＣＰＵ２０３は、この呼出状態、もしくは呼び出された居室親機２の通話操作により通話路が確立された通話状態の何れかの状態で居室親機２の開扉ボタン２０２が操作できる状態となるよう制御する。
居住者は、操作可能となった開扉ボタン２０２を操作して、第１の解錠信号S1を制御機３に送信する。
制御機３は、当該第１の解錠信号を制御機ＣＰＵ３０１にて受信し、オートドア４に対して第１の解錠信号S1を送信する。これによりオートドア４が制御機３のタイマ３０２でカウントしている間、開扉される。なお、開扉時間は１５秒で設定されているものとする。
【００１６】
また、制御機ＣＰＵ３０１は、映像切替部３０３を制御して、第１の解錠信号S1を受信すると、集合玄関機１のカメラ１０１と居室親機２との映像路を遮断しエントランスカメラ５を駆動させて居室親機への映像路を接続するよう制御する。
これにより、エントランスカメラ５で撮像した映像は、制御機３を介して居室親機２に送信され、モニタ２０１に出画される。これにより、集合住宅内に入る来訪者の映像を確認することができる。
【００１７】
居室親機２の居室親機ＣＰＵ２０３は、開扉ボタン２０２を再操作可能であるということを示すため図示しないＬＥＤを点滅させる。これにより、開扉ボタン２０２が点滅し、操作可能であることを居住者に知らせることができる。
居住者はモニタ２０１で来訪者の様子を確認しているとき、集合住宅内に入る前にオートドア４が閉まりそうな場合には、開扉ボタン２０３を再操作する。これにより第２の開扉信号S2が第１の開扉信号S1と同様の経路で制御機３に送信され、制御機ＣＰＵ３０１は、オートドア４に対して第２の解錠信号S2を送信する。また、このとき、タイマ３０２はリセットされるので、１５秒間オートドア４の開扉状態を維持することができる。
【００１８】
なお、開扉ボタン２０２の再操作がなされなければ待受け状態に戻る。
上記実施例において、エントランスカメラ５を接続しているが、集合玄関機１のカメラ１０１のみでもよい。この場合、映像の切り替えはおこなわれず、オートドア４が開扉されている間、撮像を維持するよう制御される。
また、オートドア４及びエントランスカメラ５を制御機２に接続しているが、集合玄関機１に接続してもよく、この場合、集合玄関機ＣＰＵ１０２にて制御される。
【符号の説明】
【００１９】
１・・・                        集合玄関機
１０１・・・                    ＣＰＵ（集合玄関機ＣＰＵ）
２、２、・・・                  居室親機
２０２・・・                    開扉操作部
３・・・                        制御機
３０１・・・                    ＣＰＵ（制御機ＣＰＵ）
４・・・                        オートドア
【図１】
2010200185.tif 000003